(57)【要約】【課題】着心地に優れ、発汗作用を促進してサウナ効果・ダイエット効果に優れるようにする。【解決手段】吸水性及び通気性を有する二層の布地１，２と通水性及び通気性を有さない一層のフィルムシート３との三層構造からなり、二層の布地１，２の間に一層のフィルムシート３が張り合わされることなく重ねられて、形状を特定する周辺部で縫合されており、周辺部以外では縫合されていない。【選択図】図１
0003167240.tif 000002
【実用新案登録請求の範囲】
【請求項１】
吸水性及び通気性を有する二層の布地と通水性及び通気性を有さない一層のフィルムシートとの三層構造からなり、前記二層の布地の間に前記一層のフィルムシートが張り合わされることなく重ねられて、形状を特定する周辺部で縫合されており、前記周辺部以外では縫合されていないことを特徴とするサウナウエア。
【請求項２】
前記布地は綿混素材からなり、前記フィルムシートは無透湿又は弱透湿の樹脂フィルムからなることを特徴とする請求項１に記載のサウナウエア。
【考案の詳細な説明】
【技術分野】
【０００１】
本考案は、普段着や家事、軽い運動の際に着用され、特に、着用者の発汗作用を促進するサウナウエア（スウェットスーツ、トレーナー、パンツ、Ｔシャツ、キャミソール等の被服）に関する。
【背景技術】
【０００２】
従来のサウナスーツは、通気性・通水性を遮断するナイロン、ポリエステル、ポリウレタンフィルム、生ゴム等の素材で構成されており、表地と裏地の生地が圧着されているため伸縮性に劣り、十分に伸び縮みせず着心地が非常に悪い。また、従来のサウナスーツは、ナイロン等の素材が着用者の肌に触れるようになっているものが多く、汗を吸収せずにべたつき、冷えたり不快感があり、また体温を低下するという問題があった。さらに、従来のサウナスーツは、普段着用できるような外観上のデザインになっていない。
【考案の概要】
【考案が解決しようとする課題】
【０００３】
そこで、本考案が解決しようとする課題は、上記した事情に鑑みて、着心地に優れ、さらに、発汗作用を促進してサウナ効果・ダイエット効果に優れたサウナウエアを提供することにある。
【課題を解決するための手段】
【０００４】
上記した課題を解決するために、本考案に係るサウナウエアは、
吸水性及び通気性を有する二層の布地と通水性及び通気性を有さない一層のフィルムシートとの三層構造からなり、二層の布地の間に一層のフィルムシートが張り合わされることなく重ねられて、形状を特定するための周辺部で縫合されており、周辺部以外では縫合されていない。
【０００５】
好ましくは、布地は綿混素材からなり、フィルムシートはポリウレタン等の無透湿・弱透湿の樹脂フィルムからなる。
【考案の効果】
【０００６】
上記の通り、本考案に係るサウナウエアは、吸水性及び通気性を有する二層の布地と通水性及び通気性を有さない一層のフィルムシートとの三層構造からなる。さらに、二層の布地の間に一層のフィルムシートが張り合わされることなく重ねられて、形状を特定する周辺部で縫合されており、周辺部以外では縫合されていない。
【０００７】
このような三層構造によって、内側に空気層ができて保温性を高め、体温を上げる効果がある。すなわち、吸水性及び通気性を有する二層の布地の間に、通水性及び通気性を有さないフィルムシートが介在されているので、外気を遮断して、体の熱を逃さず保温性に非常に優れ、発汗作用を促し、サウナ効果・ダイエット効果に優れる。
【０００８】
また、着用者の肌に触れる布地は、吸水性及び通気性を有するので、汗をしっかりと吸収して、べたつきや不快感がなく、汗による冷え（体温低下）を防止できる。
【０００９】
さらに、布地の間のフィルムシートは、張り合わされることなく重ねられて、形状を特定する周辺部でだけ縫合されており、周辺部以外では縫合されていないので、内部で自由に移動でき、布地の伸縮性を妨げることがなく、着心地が非常によい。
【図面の簡単な説明】
【００１０】
【図１】布地及びフィルムシートの三層構造を示す一部断面斜視図。
【図２】スウェットスーツ形状のサウナウエアを着用した状態を示す正面図。
【図３】Ｔシャツ形状のサウナウエアを示す正面図。
【図４】トレーナー形状のサウナウエアを示す正面図。
【図５】ハーフパンツ形状のサウナウエアを示す正面図。
【考案を実施するための形態】
【００１１】
以下、図面に基づいて、本考案に係るサウナウエアについて説明する。
【００１２】
図１の通り、サウナウエアは、吸水性及び通気性を有する二層の布地１，２と通水性及び通気性を有さない一層のフィルムシート３との三層構造からなる。本実施形態では、布地１，２は、綿混素材からなり、フィルムシート３は、極薄のポリウレタンフィルムからなる。布地１，２及びフィルムシート３は、それぞれ張り合わされておらず、所定の周辺ラインの縫合部４だけで縫合されている。
【００１３】
図２の通り、サウナウエアは、スウェットスーツ形状からなっており、上衣のスウェットトレーナー又はスウェットパーカー１０と下衣のスウェットパンツ１１とで構成される。ただし、スウェットスーツは、上衣又は下衣のいずれか一方でもよい。上記の通り、サウナウエアは、布地１，２とフィルムシート３との三層構造からなり、布地１，２及びフィルムシート３は、スウェットスーツの形状を特定する周辺部に沿った縫合部４で縫合されている。
【００１４】
即ち、布地１，２及びフィルムシート３は、スウェットトレーナー１０又はスウェットパンツ１１の形状を特定するために、それぞれ所定の形状でカットされて重ねられ、その周辺部の縁ラインに沿って縫合部４として縫い合わされる。従って、フィルムシート３は、この周辺部でのみ布地１，２と縫合されており、周辺部以外では縫合されていない。
【００１５】
このように、布地１，２の間のフィルムシート３は、張り合わされることなく重ねられて、形状を特定する周辺部の縫合部４で縫合されており、周辺部以外では縫合されていないので、内部で自由に移動でき、布地１，２の伸縮性を妨げることがなく、着心地が非常によい。
【００１６】
着用者がサウナウエアを着用すると、二層の布地１，２のいずれかが、着用者側に配置される。上記した三層構造によって、布地１とフィルムシート３との間、布地２とフィルムシート３との間、布地１又は２と着用者との間で、三つの空気層ができるので、保温性を高め、体温を上げる効果がある。
【００１７】
また、吸水性及び通気性を有する二層の布地１，２の間に、通水性及び通気性を有さないフィルムシート３が介在されているので、外気を遮断して、体の熱を逃さず保温性に非常に優れ、発汗作用を促し、サウナ効果・ダイエット効果に優れる。
【００１８】
また、着用者の肌に触れる布地１又は２は、吸水性及び通気性を有するので、汗をしっかりと吸収して、べたつきや不快感がなく、汗による冷え（体温低下）を防止できる。
【００１９】
サウナウエアは、図３のようなＴシャツ形状、図４のようなトレーナー形状、図５のようなハーフパンツ形状でもよい。上記の通り、サウナウエアは、前身頃及び後身頃のそれぞれが布地１，２とフィルムシート３との三層構造からなっており、Ｔシャツ形状、トレーナー形状、ハーフパンツ形状のそれぞれ所定の形状でカットされて重ねられ、その周辺部の縁ラインに沿って縫合部４として縫い合わされる。また、ハーフパンツ形状のサウナウエアは、布地１，２が伸縮自在になっており、着用者にぴったりと密着するようなものでもよい。
【符号の説明】
【００２０】
１，２  布地
３  フィルムシート
４  縫合部
【図１】
0003167240.tif 000003
【図２】
0003167240.tif 000004
【図３】
0003167240.tif 000005
【図４】
0003167240.tif 000006
【図５】
0003167240.tif 000007